(57)【要約】      （修正有）【課題】液乳の排出と同時に、空気が、内部圧力の平衡に達するようにすぐに供給される、液体と空気との流れを分離する哺乳瓶用の装置を提供する。【解決手段】ボトル本体１０と、ニップル２０と、カバー３０とを有し、ニップルの基部に複数の逆止めバルブが設けられた哺乳瓶用の装置は、カバーの装着によりニップルの基部とボトル開口部との間に固定され、かつ第１のスリーブと第２のスリーブとを有し、これらスリーブ間にはリセスが形成されたディスク本体と、第２のスリーブの側壁から中央方向に延びる１対の分岐パイプとを有している。各分岐パイプは、リセスと連通した吸気ホールを有し、両分岐パイプは、内側で組み合わされている。授乳中の液乳はボトル本体から一方の流路に沿って移動し、これと同時に、空気が他方の流路からボトル中に入る。【選択図】図２
0003138149.tif 000002
【実用新案登録請求の範囲】
【請求項１】
ボトル本体（１０）と、ニップル（２０）と、カバー（３０）とを具備し、このニップル（２０）の基部（２２）には、複数の逆止めバルブ（２２１）が設けられている哺乳瓶用の液体と空気との流れを分離する装置であって、
前記カバー（３０）の装着により、前記ニップル（２０）の基部（２２）と、前記ボトル本体のボトル開口部（１２）との間に固定され、そして、ボトル本体（１０）の前記ボトル開口部（１２）中に挿入されるように外側に設けられている第１のスリーブ（４１）と、前記ニップル（２０）の内側に挿入されるように内側に設けられている第２のスリーブ（４２）とを有し、前記第１のスリーブ（４１）と第２のスリーブ（４２）との間には、リセス（４３）が、前記逆止めバルブ（２２１）を受け入れるように形成されている、ディスク本体（４０）と、
前記第２のスリーブ（４２）の側壁から中央方向に延出されている１対の分岐パイプ（４４）とを具備し、各分岐パイプ（４４）は、前記リセス（４３）と連通している吸気ホール（４４１）を有し、両分岐パイプ（４４）は、前記ボトル本体（１０）の底部へと延びている通気パイプ（４５）を形成するように、内側で組み合わされている装置。
【請求項２】
空気が、前記ボトル本体（１０）内の負圧の作用を受けて、空気の流路（Ａ）を形成するように、ニップル（２０）の前記逆止めバルブ（２２１）からディスク本体（４０）の前記リセス（４３）へと入り、前記通気パイプ（４５）中に入る請求項１の哺乳瓶用の液体と空気との流れを分離する装置。
【請求項３】
一方向バルブ（５０）が、前記通気パイプ（４５）の下端部のところに接続されている請求項１または２の哺乳瓶用の液体と空気との流れを分離する装置。
【請求項４】
前記第１のスリーブ（４１）の上端部に形成され、かつ径方向外方へと突出したフランジ部分（４１ａ）が、ニップル（２０）の前記基部（２２）と、前記ボトル開口部（１２）との間に狭持される請求項１ないし３のいずれか１の哺乳瓶用の液体と空気との流れを分離する装置。
【請求項５】
前記第２のスリーブ（４２）は、上側部分（４２ｂ）と下側部分（４２ａ）とを有し、前記フランジ部分（４１ａ）と同じレベルを有した当接面（４２ｃ）が、ニップル（２０）の前記基部（２２）と当接するように、前記上側部分（４２ｂ）と下側部分（４２ａ）との間に形成されている請求項４の哺乳瓶用の液体と空気との流れを分離する装置。
【請求項６】
前記第２のスリーブ（４２）の上側部分（４２ｂ）の外周縁は、ニップル（２０）の前記基部の内面と密着する請求項５の哺乳瓶用の液体と空気との流れを分離する装置。
【請求項７】
液乳の流路（Ｍ）が、前記１対の分岐パイプ（４４）の外面に沿って前記第２のスリーブ（４２）の中央部分を貫通するように形成されている請求項６の哺乳瓶用の液体と空気との流れを分離する装置。
【請求項８】
前記液乳の流路（Ｍ）は、前記空気の流路（Ａ）から完全に分離されている請求項７の哺乳瓶用の液体と空気との流れを分離する装置。
【請求項９】
前記複数の逆止めバルブ（２２１）は、前記リセス（４３）中に突出している１対の逆止めバルブ（２２１）であり、これら逆止めバルブは、ニップル（２０）の前記基部（２２）に、径方向で互いに対向して設けられている請求項１ないし８のいずれか１の哺乳瓶用の液体と空気との流れを分離する装置。
【請求項１０】
前記１対の分岐パイプ（４４）は、前記通気パイプ（４５）に一体的に形成されている請求項１ないし９のいずれか１の哺乳瓶用の液体と空気との流れを分離する装置。
【請求項１１】
前記１対の分岐パイプ（４４）は、前記通気パイプ（４５）と別に形成され、この通気パイプに接続されている請求項１ないし９のいずれか１の哺乳瓶用の液体と空気との流れを分離する装置。
【請求項１２】
水平方向に延びている水平部分（５１）が、前記一方向バルブ（５０）の上面に形成され、また、垂直方向に延びている垂直部分（５２）が、前記水平部分の下面のところに形成され、また、前記通気パイプ（４５）の一端部と係合する係合部分（５３）が、前記水平部分（５１）の中央に設けられ、そして、キャビティ（５４）が、前記垂直部分（５２）の側壁に形成されたスリット（５５）と連通するように、前記垂直部分（５２）中に形成されている請求項３の哺乳瓶用の液体と空気との流れを分離する装置。
【請求項１３】
前記キャビティ（５４）は、このキャビティ（５４）の一側が比較的厚い壁厚を有し、他側が比較的薄い壁厚を有するように、前記垂直部分（５２）の長手方向を横切る断面でみて偏心的に設けられている請求項１２の哺乳瓶用の液体と空気との流れを分離する装置。
【請求項１４】
前記スリット（５５）は、前記垂直部分（５２）の比較的薄い側壁に形成されている請求項１２または１３の哺乳瓶用の液体と空気との流れを分離する装置。
【請求項１５】
おもり（５６）が、前記垂直部分（５２）の底部に形成されている請求項１２ないし１４のいずれか１の哺乳瓶用の液体と空気との流れを分離する装置。
【考案の詳細な説明】
【技術分野】
【０００１】
本考案は、哺乳瓶用の液体と空気との流れを分離する装置、特に、液乳の流路と空気の流路とをディスク本体で分離することのできる、哺乳瓶用の液体と空気との流れを分離する装置に関する。
【背景技術】
【０００２】
これまで、多くの哺乳瓶用の圧力平衡装置が提案されてきた。例えば、図７並びに８に示されているような、“液体と空気との流れを分離する装置を有する哺乳瓶”というタイトルの台湾特許第９５２１５３３０号は、ボトル本体（１０’）と、ニップル（２０’）と、カバー（３０’）と、ディスク本体（４０’）とを主に有している。このディスク本体は、カバーの装着によりニップルの基部（２２）とボトル開口部（１２’）との間に狭持され、かつ液乳の分離のために使用されている径方向の仕切りプレート（４１’）と、ディスク本体（４０’）の中央部に一体的に形成された軸方向スリーブ（４２’）と、中央部に形成された収容部分（４３’）と、前記スリーブ（４２’）の第１の部分（４２ａ’）の基部に形成された複数の吸気ホール（４４’）とを有している。前記軸方向スリーブの第１の部分（４２ａ’）は、ニップル（２０’）の方向に延び、軸方向スリーブの第２の部分（４２ｂ’）は、ボトル本体（１０’）の方向に延びている。前記収容部分（４３’）中には、プラグ部分（５０’）が受け入れられている。このプラグ部分は、ボトル本体（１０’）に連通し、かつ吸気ホール（４４’）の内側に接続された空気の流路（Ａ’）と、ボトル本体（１０’）とニップル（２０’）との間に連通している液乳の流路（Ｍ’）とを有している。
【０００３】
もちろん、上記の特許文献は、液体と空気との流れの分離と、哺乳瓶中の圧力平衡とを果たすことができる。しかし、本考案の考案者は、上記の構造を製造するためのダイの製造が高度な技術を必要とし、かくして、費用が比較的高いことを、知っている。これを考慮して、本考案者は、哺乳瓶の構造の簡略化に専念し、かくして、本考案の斬新な哺乳瓶が実現されている。
【考案の開示】
【考案が解決しようとする課題】
【０００４】
本考案の主な目的は、液乳の排出と同時に、空気が、内部圧力の平衡に達するようにすぐに供給され、このため、赤ちゃんがミルクを難なくスムーズに吸うことができる、哺乳瓶用の液体と空気との流れを分離する装置を提供することである。
【０００５】
本考案の他の目的は、液乳と空気とが、液乳中への空気の混入若しくは溶解を回避するように実質的に分離された、哺乳瓶用の液体と空気との流れを分離する装置を提供することである。
【課題を解決するための手段】
【０００６】
上記の課題を解決するために、ボトル本体と、ニップルと、カバーとを有し、このニップルの基部に複数の逆止めバルブが設けられた、本考案の哺乳瓶用の液体と空気との流れを分離する装置は、
カバーの装着によりニップルの基部とボトル開口部との間に取着され、かつボトル本体のボトル開口部中に挿入されるように外側端部に設けられた第１のスリーブと、ニップルの内側に挿入されるように内側に設けられた第２のスリーブとを有し、この第１のスリーブと第２のスリーブとの間には、逆止めバルブを受け入れるようにリセスが形成されている、ディスク本体と、
第２のスリーブの側壁から中央方向へと延出された１対の分岐パイプとを有し、各分岐パイプは、前記リセスと連通した吸気ホールを有し、両分岐パイプは、ボトルの底部へと延びる通気パイプを形成するように内側で組み合わされている。
【０００７】
本考案の哺乳瓶用の液体と空気との流れを分離する装置に従えば、授乳中の液乳は、ボトル本体から、第２のスリーブの中央部のところの液乳の流路Ｍに沿って移動し、ニップルに排出される。これと同時に、空気が、ニップルの逆止めバルブからディスク本体のリセスへと入り、吸気ホールから１対の分岐パイプを通過した後に、通気パイプ中に入る。かくして、空気の流路Ａが、空気をボトル本体中に供給するように、このような形態で形成される。このようにして、液乳が、一方の流路を通って排出され、これと同時に、空気が、ボトルの内部圧力を平衡にするように他方の流路を通って供給される。かくして、哺乳瓶の内部は、常に正圧に維持され、この結果、赤ちゃんは、ミルクを難なくスムーズに吸うことができる。
【０００８】
さらに、液乳と空気とは、液乳中への空気の混入若しくは溶解を回避するように、分離されることが確実にされている。このようにして、赤ちゃんが空気を含んだ液乳を吸うことは、防止されることができ、そうでなければ、空気を含んだ液乳は、しばしば、おなかにガスを発生させる。
【０００９】
本考案に従えば、前記ディスク本体の一体構造体は、部品の数を著しく低減し、構造体全体の簡略化と総費用の削減とをもたらす。
【考案を実施するための最良の形態】
【００１０】
本考案の技術的な特徴は、添付図面に関連した以下の実施形態の詳細な説明により明らかになり、この実施形態は、本考案の範囲を限定するものではなく、単なる説明のためのものである。
【００１１】
最初に、液体と空気との流れを分離する哺乳瓶用の装置の一実施形態が、図１，２，並びに３を参照して説明される。哺乳瓶は、ボトル本体１０と、ニップル２０と、カバー３０とを主に有している。このボトル本体の一端部は、液乳を収容するための収容部分１１であり、ボトル本体の他端部は、ボトル開口部１２である。前記ニップルの一端部には、液乳を排出するための排出ポート２１が形成され、ニップルの他端部には、径方向に拡大された基部２２が設けられている。この基部２２には、１対の逆止めバルブ２２１が、互いに対向して設けられている。前記カバーの一端部は、カバーの取り付けの間にニップル２０の基部２２へと押圧される保持部３２を有し、カバーの他端部には、ボトル開口部１２の外面と係合するための係合部３１が形成されている。
【００１２】
この液体と空気との流れを分離する装置は、前記カバー３０の取り付けにより、ニップル２０の前記基部２２とボトル開口部１２との間に装着されたディスク本体４０を有している。このディスク本体は、ボトル本体１０のボトル開口部１２中に挿入されるように外側に設けられた第１のスリーブ４１と、ニップル２０の内側に挿入されるように内側に設けられた第２のスリーブ４２とを有している。この第１のスリーブ４１と第２のスリーブ４２とは、逆止めバルブ２２１を受け入れるためのリセス４３により、互いに接続されている。
【００１３】
液体と空気との流れを分離する装置は、また、前記第２のスリーブ４２の側壁から中央方向に延出された１対の分岐パイプ４４を有している。各分岐パイプ４４は、前記リセス４３と連通している吸気ホール４４１を有し、両分岐パイプ４４は、ボトル本体１０の底部へと延びている通気パイプ４５を形成するように内部で互いに組み合わされている。この通気パイプ４５の下端部には、一方向バルブ５０が接続されている。
【００１４】
この実施形態に従えば、前記第１のスリーブ４１の上端部に形成され、かつ径方向外方に突出したフランジ部分４１ａが、ニップル２０の前記基部２２とボトル開口部１２との間に狭持されている。前記第２のスリーブ４２は、上側部分４２ｂと下側部分４２ａとを有している。前記フランジ部分４１ａと同じレベルを有した当接面４２ｃが、ニップル２０の基部２２と当接するように、上側部分４２ｂと下側部分４２ａとの間に形成されている。第２のスリーブ４２の上側部分４２ｂの外周縁は、ニップル２０の基部の内面と密着している。液乳の流路Ｍが、前記１対の分岐パイプ４４の外面に沿って第２のスリーブ４２の中央部分を貫通するように形成されている。当業者は、１対の分岐パイプが、通気パイプ４５と一体的であっても良いし、離れて接続されても良いことを、理解することができる。
【００１５】
図４，５，並びに６において、水平方向に延びている水平部分５１が、前記バルブ５０の上面に形成され、垂直方向に延びている垂直部分５２が、水平部分５１の下面に形成されている。前記通気パイプ４５の一端部と係合する係合部分５３が、水平部分５１の中央に設けられている。キャビティ５４が、図５に示されているように垂直部分中に形成され、この垂直部分５２の長手方向を横切る断面で見て偏心的に設けられている。かくして、このキャビティ５４の一側は、比較的厚い壁厚を有し、また、キャビティ５４の他側は、比較的薄い壁厚を有している。スリット５５が、垂直部分５２の薄い側壁に形成され、前記キャビティ５４と連通している。おもり５６が、前記比較的薄い側壁に向けて偏向され、従ってスリット５５を比較的幅広く開成させるように、垂直部分５２の底部に同じ材料で形成されている。このようにして、スリット５５の変形により、空気の流路Ａは、図６に示されているように、塞がれ得ない。
【００１６】
図３に示されているように、この実施形態に従えば、授乳中の液乳は、ボトル本体１０から第２のスリーブ４２の中央のところの液乳の流路Ｍに沿って、ニップル２０の排出ポート２１に移動する。これと同時に、空気が、ボトル本体１０内の負圧の作用を受けて、ニップル２０の逆止めバルブ２２１からディスク本体４０のリセス４３へと入り、吸気ホール４４１から１対の分岐パイプ４４へと通過した後に、通気パイプ４５中に入る。かくして、バルブ５０を通る空気の流路Ａは、空気をボトル本体中に供給するように形成されている。
【００１７】
上記の液体と空気との流れを分離する哺乳瓶用の装置に従えば、授乳中の液乳は、ボトル本体から、一方の流路Ｍに沿って移動し、これと同時に、空気が、内部圧力のバランスをとるように素早く供給されるために、他方の流路Ａからボトル中に入る。かくして、哺乳瓶の内部は、常に正圧に維持される。この結果、赤ちゃんは、難なくスムーズにミルクを吸うことができる。さらに、液乳と空気とは、液乳中への空気の混入若しくは溶解を回避するように、分離されることが確実にされている。このようにして、赤ちゃんによる空気を含んだ液乳の吸い込みは、防止されることができ、さもなければ、空気を含んだ液乳は、しばしば、お腹にガスをもたらす。
【００１８】
上記を要約すると、本考案の液体と空気との流れを分離する装置は、上述されたような効果を全て有し、部品の数は、コストダウンの利点を得るように、構造上の簡略化のためにかなり減じられる。
【００１９】
上記の実施形態は、単なる説明のためのものであり、本考案の範囲を限定するものではない。本考案の精神並びに原理から逸脱することなく果たされる様々な変形並びに変更が、なお、本考案の範囲内であると考えられることに、注意すべきである。
【図面の簡単な説明】
【００２０】
【図１】本考案の液体と空気との流れを分離する哺乳瓶用の装置を、分解した形態で示している斜視図であり、哺乳瓶は省略されている。
【図２】本考案の液体と空気との流れを分離する哺乳瓶用の装置を、組み合わされた形態で示している概略的な断面図である。
【図３】本考案の液体と空気との流れを分離する哺乳瓶用の装置を、使用の形態で示している概略的な部分断面図であり、矢印Ａは、空気の流路であり、矢印Ｍは、液乳の流路を示している。
【図４】本考案の通気パイプと膜状バルブとを、分解した形態で示している斜視図である。
【図５】図４の通気パイプと膜状バルブとを、組み合わされた形態で示している概略的な断面図である。
【図６】本考案の通気パイプと膜状バルブとを使用の形態で示している概略的な断面図であり、矢印Ａは、空気の流路である。
【図７】台湾特許第９５２１５３３０号の液体と空気との流れを分離する装置を有した既知の哺乳瓶を、分解した形態で示している斜視図である。
【図８】図７の液体と空気との流れを分離する装置を有した既知の哺乳瓶を示している概略的な断面図であり、矢印Ａ’は、空気の流路である。
【図９】図７の液体と空気との流れを分離する装置を有した既知の哺乳瓶を示している他の概略的な断面図であり、矢印Ｍ’は、液乳の流路である。
【符号の説明】
【００２１】
１０…ボトル本体、１２…ボトル開口部、２０…ニップル、２２…基部、３０…カバー、４０…ディスク本体、４１…第１のスリーブ、４２…第２のスリーブ、４３…リセス、４４…分岐パイプ、４５…通気パイプ、２２１…逆止めバルブ、４４１…吸気ホール、
【図１】
0003138149.tif 000003
【図２】
0003138149.tif 000004
【図３】
0003138149.tif 000005
【図４】
0003138149.tif 000006
【図５】
0003138149.tif 000007
【図６】
0003138149.tif 000008
【図７】
0003138149.tif 000009
【図８】
0003138149.tif 000010
【図９】
0003138149.tif 000011